(57)【要約】【課題】折り畳み構造の携帯無線機において、折り畳んだ状態での使用時にアンテナ性能劣化が起こり難い携帯無線機を提供する。【解決手段】携帯無線機１の上筐体１０Ａのヒンジ部１１側と下筐体１０Ｂのヒンジ部１１側のそれぞれに導電体３０を配置する。これにより、上筐体１０Ａ内の回路基板１５のグランドパターン１７と下筐体１０Ｂ内の回路基板２０のグランドパターン１８との間で共振が起こり難くなり、アンテナ性能の向上が図れる。【選択図】図４
2010161442.tif 000002
【特許請求の範囲】
【請求項１】
非導体で構成される第１の筐体と、
非導体で構成される第２の筐体と、
前記第１の筐体と前記第２の筐体とを回動自在に連結するヒンジ部と、
前記第１の筐体又は前記第２の筐体のいずれかに設けられた回路基板と、
前記回路基板に設けられた無線回路と、
前記ヒンジ部に配置されたアンテナ素子と、
前記無線回路に接続され前記アンテナ素子に給電する給電部と、
折り畳んだとき筐体厚み方向において重なるように前記第１の筐体及び前記第２の筐体の前記ヒンジ部側に配置された複数の導電体と、
を備えた携帯無線機。
【請求項２】
前記複数の導電体の各々は、所定の面積で構成される請求項１に記載の携帯無線機。
【請求項３】
前記複数の導電体の各々は、筐体短手方向における前記回路基板の幅と略等しい幅で構成される請求項１又は請求項２に記載の携帯無線機。
【請求項４】
前記複数の導電体の各々は、前記回路基板のグランドパターンと直接あるいはリアクタンス素子を介して電気的に接続される請求項１乃至請求項３のいずれかに記載の携帯無線機。
【発明の詳細な説明】
【技術分野】
【０００１】
本発明は、携帯電話やＰＨＳ（Personal Handy Phone System）等の携帯無線機に関する。
【背景技術】
【０００２】
従来、携帯電話やＰＨＳ等の携帯無線機において、例えば特許文献１や特許文献２にあるように、アンテナ性能の改善を図る提案がなされている。特許文献１には、ヒンジ部にアンテナを備えた折り畳み構造の携帯電話機において、前記アンテナと接近する上部筐体に反転エレメントを設け、前記アンテナと逆方向に流れる電流を低減する技術が開示されている。特許文献２には、アンテナ給電点近傍の回路基板のグランド部分に接触端子を設け、導電性を有する筐体部分と導通させることで、筐体の誘導電流の発生を防止し、放射素子として動作させることでアンテナ性能を向上させる技術が開示されている。
【０００３】
【特許文献１】特開２００６−０８６７１５号公報
【特許文献２】特開平１１−３４０８６７号公報
【発明の開示】
【発明が解決しようとする課題】
【０００４】
ところで、従来の折り畳み式の携帯無線機においては、折り畳んだ状態即ち閉状態にすると、上筐体の回路基板のグランドパターンと下筐体の回路基板のグランドパターンとの高周波的な結合によって共振が起こり、その共振の発生箇所（即ち共振発生周波数）におけるＶＳＷＲ（Voltage Standing Wave Ratio、電圧定在波比）が大きくなってアンテナ性能が劣化する問題がある。なお、上述した特許文献１で開示された技術は、閉状態では上下筐体内の回路基板間に発生する誘導電流を低減することができない。また、特許文献２で開示された技術は折り畳み構造の携帯無線機を想定していない。
【０００５】
本発明は、係る事情に鑑みてなされたものであり、折り畳み構造の携帯無線機において、折り畳んだ状態での使用時にアンテナ性能劣化が起こり難い携帯無線機を提供することを目的とする。
【課題を解決するための手段】
【０００６】
本発明の携帯無線機は、非導体で構成される第１の筐体と、非導体で構成される第２の筐体と、前記第１の筐体と前記第２の筐体とを回動自在に連結するヒンジ部と、前記第１の筐体又は前記第２の筐体のいずれかに設けられた回路基板と、前記回路基板に設けられた無線回路と、前記ヒンジ部に配置されたアンテナ素子と、前記無線回路に接続され前記アンテナ素子に給電する給電部と、折り畳んだとき筐体厚み方向において重なるように前記第１の筐体及び前記第２の筐体の前記ヒンジ部側に配置された複数の導電体と、を備えた。
【０００７】
上記構成によれば、第１の筐体のヒンジ部側と第２の筐体のヒンジ部側のそれぞれに導電体を配置したので、第１の筐体内の回路基板のグランドパターンと第２の筐体内の回路基板のグランドパターンとの間で共振が起こり難くなり、アンテナ性能の向上が図れる。
【０００８】
また、上記構成において、前記複数の導電体の各々は、所定の面積で構成される。例えば、幅４０ｍｍ、長さ１０ｍｍの４００ｍｍ２とする。
【０００９】
また、上記構成において、前記複数の導電体の各々は、筐体短手方向における前記回路基板の幅と略等しい幅で構成される。
【００１０】
また、上記構成において、前記複数の導電体の各々は、前記回路基板のグランドパターンと直接あるいはリアクタンス素子を介して電気的に接続される。
【００１１】
上記構成によれば、導電体を、リアクタンス素子を介して回路基板のグランドパターンに接続した場合、共振周波数が変化するので、該共振周波数を携帯無線機として使用する周波数帯から外すことができる。
【発明の効果】
【００１２】
本発明は、折り畳み構造の携帯無線機において、第１の筐体のヒンジ部側と第２の筐体のヒンジ部側のそれぞれに導電体を配置したので、折り畳んだ閉状態で上筐体内の回路基板のグランドパターンと下筐体内の回路基板のグランドパターンとの間での共振の発生が起こり難くなり、アンテナ性能の向上が図れる。
【発明を実施するための最良の形態】
【００１３】
以下、本発明を実施するための好適な実施の形態について、図面を参照して詳細に説明する。
【００１４】
（実施の形態１）
図１は、本発明の実施の形態１に係る携帯無線機の外観を示す側面図である。また、図２は本実施の形態の携帯無線機の下筐体のケース部を外した状態の外観を示す側面図である。また、図３は図２において矢印Ａで示す部分を示す斜視図である。また、図４は本実施の形態の携帯無線機の内部構成を模式的に示した図である。
【００１５】
図１から分かるように本実施の形態の携帯無線機１は折り畳み構造の携帯無線機であり、非導体で構成される上筐体（第１の筐体）１０Ａと、非導体で構成される下筐体（第２の筐体）１０Ｂと、上筐体１０Ａと下筐体１０Ｂとを回動自在に連結するヒンジ部１１とを備える。また、図４に示すように上筐体１０Ａには主に回路基板１５及び液晶表示器１６が設けられており、下筐体１０Ｂには主に回路基板２０、アンテナ素子２５及び給電部２６が設けられている。下筐体１０Ｂの回路基板２０には無線回路２１が実装されており、アンテナ素子２５はヒンジ部１１の近傍に配置され、給電部２６は無線回路２１に接続されている。なお、下筐体１０Ｂにはテンキーやファンクションキーなどの複数のキーからなるキーパネル（図示略）も設けられている。
【００１６】
また、上筐体１０Ａと下筐体１０Ｂには、携帯無線機１を折り畳んだときに筐体厚み方向において重なるように上筐体１０Ａ及び下筐体１０Ｂのヒンジ部１１側に導電体３０が設けられている。この導電体３０は、図２又は図３に示すように薄い板状に形成されており、バネ部材３１で上下筐体１０Ａ、１０Ｂのそれぞれに取り付けられている。図２及び図３では下筐体１０Ｂ側の導電体３０を示しているが、上筐体１０Ａ側の導電体３０も同様の形状を有している。これらの導電体３０は筐体短手方向における回路基板１５、２０の幅と略等しい幅で構成されている。また、導電体３０は、上筐体１０Ａの液晶表示器１６と下筐体１０Ｂのキーパネル（図示略）によって制約を受けるので、それらの形状を鑑みた長さになっている。その面積は例えば幅４０ｍｍ、長さ１０ｍｍの４００ｍｍ２である。
【００１７】
下筐体１０Ｂ側の導電体３０は、下筐体１０Ｂのケース部１２（図１参照）を取り外すことでその外観を見ることができ、上筐体１０Ａ側の導電体３０も下筐体１０Ｂ側の導電体３０と同様に上筐体１０Ａのケース部（図示略）を取り外すことでその外観を見ることができる。なお、導電体３０は、薄い板状に形成して上下筐体１０Ａ、１０Ｂに配置する以外に例えば低抵抗導電性の発泡ウレタンを薄いシート状に形成してケース部１２（上筐体１０Ａのケース部も含む）の裏側に両面テープで貼り付けるようにしても良いし、上下筐体１０Ａ、１０Ｂを構成する樹脂材料（非導体）に金属粉を混合させるようにしても良い。さらに、ケース部１２（上筐体１０Ａのケース部も含む）の内側に導電性部材を蒸着させるようにしても良い。
【００１８】
このように上筐体１０Ａのヒンジ部１１側と下筐体１０Ｂのヒンジ部１１側のそれぞれに導電体３０を配置する。導電体３０を配置することで上筐体１０Ａ内の回路基板１５のグランドパターン１７と下筐体１０Ｂ内の回路基板２０のグランドパターン１８との間で共振が起こり難くなる。図５は、導電体３０が有る場合と無い場合のＶＳＷＲの周波数特性を比較した図である。同図において、導電体３０が無い場合は１．７ＧＨｚ〜１．８ＧＨｚ帯でＶＳＷＲが悪化するが（（ａ）参照）、導電体３０が有ると同周波数帯でのＶＳＷＲが略フラットになる（（ｂ）参照）。例えば、携帯電話では８００ＭＨｚ帯と２ＧＨｚ帯が使用されるが、導電体３０を設けることで２ＧＨｚ帯を良好に使用することが可能となる。
【００１９】
以上のように本実施の形態の携帯無線機１によれば、上筐体１０Ａのヒンジ部１１側と下筐体１０Ｂのヒンジ部１１側のそれぞれに導電体３０を配置したので、上筐体１０Ａ内の回路基板１５のグランドパターン１７と下筐体１０Ｂ内の回路基板２０のグランドパターン１８との間で共振が起こり難くなり、アンテナ性能の向上が図れる。
【００２０】
なお、導電体３０を設けることにより、人体の手への電力吸収を低減できる効果が期待できる。即ち、上筐体１０Ａと下筐体１０Ｂを開いた開状態で使用した際に導電体３０に電界が集中し、導電体３０以外の部分におけるエネルギー密度が低減する。図６に示すように、折り畳み式の携帯無線機の場合、下筐体を持つことが殆どであるので、導電体３０以外の部分を持つことで手への電力吸収が低減し、電波の放射効率が改善される。
【００２１】
（実施の形態２）
図７は、本発明の実施の形態２に係る携帯無線機の内部構成を模式的に示した図である。なお、図７において前述した図４と共通する部分には同一の符号を付けている。本実施の形態の携帯無線機２は、前述した実施の形態１の携帯無線機１と同一の構成を有するとともに、上下筐体１０Ａ、１０Ｂそれぞれに配置された導電体３０を上下筐体１０Ａ、１０Ｂそれぞれの回路基板１５、２０のグランドパターン１７、１８に電気的に接続するリアクタンス素子４０を有している。
【００２２】
リアクタンス素子４０にて導電体３０を回路基板１５、２０のグランドパターン１７、１８に接続することで共振周波数が変化する。例えば図８に示すように、共振周波数を携帯無線機２の使用周波数帯である２ＧＨｚ帯から外すことができる。この手法は、導電体３０だけでは共振を完全に除去できない場合やアンテナ性能のばらつきを低減する場合に有効である。リアクタンス素子４０として、コンデンサやコイル等のチップ部品が好適である。
【００２３】
以上のように本実施の形態の携帯無線機２によれば、上下筐体１０Ａ、１０Ｂそれぞれに配置した導電体３０を上下筐体１０Ａ、１０Ｂそれぞれの回路基板１５、２０のグランドパターン１７、１８にリアクタンス素子４０を介して電気的に接続するようにしたので、共振周波数を変化させることが可能となり、導電体３０だけでは共振を完全に除去できない場合に共振周波数を携帯無線機２の使用周波数帯から外すことができ、またアンテナ性能のばらつきを低減することができる。
【産業上の利用可能性】
【００２４】
本発明は、折り畳み構造の携帯無線機を折り畳んだ状態での使用時にアンテナ性能劣化が起り難いといった効果を有し、携帯電話やＰＨＳ等の携帯無線機への適用が可能である。
【図面の簡単な説明】
【００２５】
【図１】本発明の実施の形態１に係る携帯無線機の外観を示す側面図
【図２】図１の携帯無線機の下筐体のケース部を外した状態の外観を示す側面図
【図３】図２において矢印Ａで示す部分を示す斜視図
【図４】図１の携帯無線機の内部構成を模式的に示した図
【図５】導電体が有る場合と無い場合のＶＳＷＲの周波数特性を比較した図
【図６】図１の携帯無線機の上下筐体を開いた状態での使用時における副次的な効果を説明するための図
【図７】本発明の実施の形態２に係る携帯無線機の内部構成を模式的に示した図
【図８】図７の携帯無線機のＶＳＷＲの周波数特性を示す図
【符号の説明】
【００２６】
１、２  携帯無線機
１０Ａ  上筐体
１０Ｂ  下筐体
１１  ヒンジ部
１２  ケース部
１５、２０  回路基板
１６  液晶表示器
１７、１８  グランドパターン
２１  無線回路
２５  アンテナ素子
２６  給電部
３０  導電体
３１  バネ部材
４０  リアクタンス素子
【図１】
2010161442.tif 000003
【図２】
2010161442.tif 000004
【図３】
2010161442.tif 000005
【図４】
2010161442.tif 000006
【図５】
2010161442.tif 000007
【図６】
2010161442.tif 000008
【図７】
2010161442.tif 000009
【図８】
2010161442.tif 000010